(57)【要約】【課題】オフライン経験を反映したオンライントランザクションのための方法とシステムを提供する。【解決手段】コンピュータで実現される方法は、オンラインオープンマーケットに加盟店として登録されたオフライン店舗の内部映像を電子機器に提供し、前記内部映像で前記オフライン店舗に陳列された商品を認識し、前記内部映像で認識された商品に対してユーザインタフェースを含む仮想オブジェクトを構成し、前記ユーザインタフェースで選択された商品に対し、該当する商品と関連するサービスを提供することを含む。【選択図】図４
2018049612.tif 000002
【特許請求の範囲】
【請求項１】
コンピュータで実現される商品情報提供システムが実行する商品情報提供方法であって、
オンラインオープンマーケットに加盟店として登録されたオフライン店舗の内部映像を電子機器に提供し、
前記内部映像で前記オフライン店舗に陳列された商品を認識し、
前記内部映像で認識された商品に対してユーザインタフェースを含む仮想オブジェクトを構成し、
前記ユーザインタフェースで選択された商品に対し、該当する商品と関連するサービスを提供すること
を含む、商品情報提供方法。
【請求項２】
前記オフライン店舗の内部映像は、ネットワーク基盤の撮影装置によって前記オフライン店舗の内部が撮影された実際映像、あるいは前記オフライン店舗の室内パノラマ写真で生成されたバーチャルリアリティ映像である、請求項１に記載の商品情報提供方法。
【請求項３】
前記内部映像を電子機器に提供することは、
前記電子機器によって特定される位置を基準とした周辺の少なくとも１つの加盟店を勧めること
をさらに含む、請求項１に記載の商品情報提供方法。
【請求項４】
前記内部映像を電子機器に提供することは、
前記電子機器のユーザが特定の商品を検索した場合、前記特定の商品および前記特定の商品と関連する代替商品が事前に保存された陳列商品リストに含まれる少なくとも１つの加盟店を検索結果として提供すること
をさらに含む、請求項１に記載の商品情報提供方法。
【請求項５】
前記内部映像に対する前記電子機器の操作要求に対応して前記内部映像を操作すること
をさらに含む、請求項１に記載の商品情報提供方法。
【請求項６】
前記オフライン店舗の内部映像は、ネットワーク基盤の撮影装置によって前記オフライン店舗の内部が撮影された実際映像であり、
前記内部映像を操作することは、
前記操作要求による映像制御信号を前記撮影装置に伝達して前記内部映像を操作するように制御する、請求項５に記載の商品情報提供方法。
【請求項７】
前記商品を認識することは、
前記内部映像の該当するイメージ内から固有認識コードとテキストのうちの少なくとも１つを認識することによって商品を認識する、請求項１に記載の商品情報提供方法。
【請求項８】
前記商品を認識することは、
インターネット上のイメージデータベースと連動し、前記内部映像の該当するイメージに対するイメージ検索によって商品を認識する、請求項１に記載の商品情報提供方法。
【請求項９】
前記仮想オブジェクトを構成することは、
前記内部映像で認識された商品に関する情報を含む仮想オブジェクトを構成して表示する、請求項１に記載の商品情報提供方法。
【請求項１０】
前記仮想オブジェクトを構成することは、
前記内部映像で認識された商品に対し、該当する商品の詳細情報を含むページへの移動機能または該当する商品に対する決済機能のためのユーザインタフェースによって仮想オブジェクトを構成して表示する、請求項１に記載の商品情報提供方法。
【請求項１１】
前記仮想オブジェクトを構成することは、
前記内部映像で認識された商品のうちの一部商品に対し、他の商品と区別される仮想オブジェクトを構成して表示する、請求項１に記載の商品情報提供方法。
【請求項１２】
前記商品と関連するサービスを提供することは、
前記選択された商品の詳細情報を含むページへの移動機能または前記選択された商品に対する決済機能を提供する、請求項１に記載の商品情報提供方法。
【請求項１３】
商品情報提供方法を実行させるためにコンピュータで読み取り可能な媒体に格納されたコンピュータプログラムであって、
前記商品情報提供方法は、
オンラインオープンマーケットに加盟店として登録されたオフライン店舗の内部映像を電子機器に提供し、
前記内部映像で前記オフライン店舗に陳列された商品を認識し、
前記内部映像で認識された商品に対してユーザインタフェースを含む仮想オブジェクトを構成し、
前記ユーザインタフェースで選択された商品に対し、該当する商品と関連するサービスと連動して該当する商品の詳細情報を含むページへの移動機能または該当する商品に対する決済機能を提供すること
を含む、コンピュータで読み取り可能な媒体に格納されたコンピュータプログラム。
【請求項１４】
コンピュータで実現される商品情報提供システムであって、
前記コンピュータで読み取り可能な命令を実行するように実現される少なくとも１つのプロセッサ
を含み、
前記少なくとも１つのプロセッサは、
オンラインオープンマーケットに加盟店として登録されたオフライン店舗の内部映像を電子機器に提供する提供部、
前記内部映像で前記オフライン店舗に陳列された商品を認識する認識部、
前記内部映像で認識された商品に対してユーザインタフェースを含む仮想オブジェクトを構成する構成部、および
前記ユーザインタフェースで選択された商品に対し、該当する商品と関連するサービスと連動して該当する商品の詳細情報を含むページへの移動機能または該当する商品に対する決済機能を提供する連動部
を備える、商品情報提供システム。
【請求項１５】
前記オフライン店舗の内部映像は、ネットワーク基盤の撮影装置によって前記オフライン店舗の内部が撮影された実際映像、あるいは前記オフライン店舗の室内パノラマ写真で生成されたバーチャルリアリティ（Ｖｉｒｔｕａｌ  Ｒｅａｌｉｔｙ）映像である、請求項１４に記載の商品情報提供システム。
【請求項１６】
前記提供部は、
前記電子機器によって特定される位置を基準とした周辺の少なくとも１つの加盟店を勧める、請求項１４に記載の商品情報提供システム。
【請求項１７】
前記提供部は、
前記電子機器のユーザが特定の商品を検索した場合、前記特定の商品および前記特定の商品と関連する代替商品が事前に保存された陳列商品リストに含まれる少なくとも１つの加盟店を検索結果として提供する、請求項１４に記載の商品情報提供システム。
【請求項１８】
前記少なくとも１つのプロセッサは、
前記内部映像に対する前記電子機器の操作要求に対応して前記内部映像を操作する操作部
をさらに備える、請求項１４に記載の商品情報提供システム。
【請求項１９】
前記構成部は、
前記内部映像で認識された商品に関する情報を含む仮想オブジェクトを構成して表示する、請求項１４に記載の商品情報提供システム。
【請求項２０】
前記構成部は、
前記内部映像で認識された商品のうちの一部商品に対し、他の商品と区別される仮想オブジェクトを構成して表示する、請求項１４に記載の商品情報提供システム。
【発明の詳細な説明】
【技術分野】
【０００１】
以下の説明は、オンライントランザクション処理技術に関する。例えば、オフラインのショッピング経験を反映したオンライントランザクション処理技術に関する。
【背景技術】
【０００２】
インターネットの使用が一般化するに伴い、インターネットショッピングモールを利用した商品および財貨サービスの流通・販売が活発化しているが、最近ではスマートフォンなどを利用したモバイルビジネスの機会が拡大しており、モバイルショッピングマーケットも急増している状況にある。
【０００３】
特許文献１には、商品登録者、前記商品登録者が登録する商品、および前記登録された商品を販売しようとする販売者の情報を体系的に含むデータベースを構築し、前記データベースを利用してオンラインショッピング検索サービスと関連する一連の過程が実行されるようにするオンラインショッピング検索サービス提供方法およびシステムが開示されている。
【先行技術文献】
【特許文献】
【０００４】
【特許文献１】韓国登録特許第１０−０４６０００８号公報
【発明の概要】
【発明が解決しようとする課題】
【０００５】
オンラインオープンマーケットで、オフラインのショッピング経験を反映したショッピング経験を提供することができる方法およびシステムを提供する。
【０００６】
オフラインのショッピング経験を反映することにより、ユーザが選択した商品の詳細情報を表示させて購入に連結させることができる方法およびシステムを提供する。
【０００７】
オフラインのショッピング経験を反映したショッピング経験を提供するショッピングモデルを、地域広告と連携させることができる方法およびシステムを提供する。
【課題を解決するための手段】
【０００８】
コンピュータで実現される商品情報提供システムが実行する商品情報提供方法であって、オンラインオープンマーケットに加盟店として登録されたオフライン店舗の内部映像を電子機器に提供し、前記内部映像で前記オフライン店舗に陳列された商品を認識し、前記内部映像で認識された商品に対してユーザインタフェースを含む仮想オブジェクトを構成し、前記ユーザインタフェースで選択された商品に対して該当する商品と関連するサービスを提供することを含む、商品情報提供方法を提供する。
【０００９】
一側面によると、前記オフライン店舗の内部映像は、ネットワーク基盤の撮影装置によって前記オフライン店舗の内部が撮影された実際映像、あるいは前記オフライン店舗の室内パノラマ写真で生成されたバーチャルリアリティ映像であってもよい。
【００１０】
他の側面によると、前記内部映像を電子機器に提供することは、前記電子機器によって特定される位置を基準とした周辺の少なくとも１つの加盟店を勧めることをさらに含んでもよい。
【００１１】
また他の側面によると、前記内部映像を電子機器に提供することは、前記電子機器のユーザが特定の商品を検索した場合、前記特定の商品および前記特定の商品と関連する代替商品が事前に保存された陳列商品リストに含まれる少なくとも１つの加盟店を検索結果として提供することをさらに含んでもよい。
【００１２】
また他の側面によると、前記内部映像に対する前記電子機器の操作要求に対応して前記内部映像を操作することをさらに含んでもよい。
【００１３】
また他の側面によると、前記オフライン店舗の内部映像は、ネットワーク基盤の撮影装置によって前記オフライン店舗の内部が撮影された実際映像であり、前記内部映像を操作することは、前記操作要求による映像制御信号を前記撮影装置に伝達して前記内部映像を操作するように制御してもよい。
【００１４】
また他の側面によると、前記商品を認識することは、前記内部映像に該当するイメージ内から固有認識コードとテキストのうちの少なくとも１つを認識することによって商品を認識してもよい。
【００１５】
また他の側面によると、前記商品を認識することは、インターネット上のイメージデータベースと連動し、イメージ検索によって前記内部映像から商品を認識してもよい。
【００１６】
また他の側面によると、前記仮想オブジェクトを構成することは、前記内部映像で認識された商品に関する情報を含む仮想オブジェクトを構成して表示してもよい。
【００１７】
また他の側面によると、前記仮想オブジェクトを構成することは、前記内部映像で認識された商品に対し、該当する商品の詳細情報を含むページへの移動機能または該当する商品に対する決済機能のためのユーザインタフェースによって仮想オブジェクトを構成して表示してもよい。
【００１８】
また他の側面によると、前記仮想オブジェクトを構成することは、前記内部映像で認識された商品のうちの一部商品に対し、他の商品と区別される仮想オブジェクトを構成して表示してもよい。
【００１９】
また他の側面によると、前記商品と関連するサービスを提供することは、前記選択された商品の詳細情報を含むページへの移動機能または前記選択された商品に対する決済機能を提供してもよい。
【００２０】
商品情報提供方法を実行させるためにコンピュータで読み取り可能な媒体に格納されたコンピュータプログラムであって、前記商品情報提供方法は、オンラインオープンマーケットに加盟店として登録されたオフライン店舗の内部映像を電子機器に提供し、前記内部映像で前記オフライン店舗に陳列された商品を認識し、前記内部映像で認識された商品に対してユーザインタフェースを含む仮想オブジェクトを構成し、前記ユーザインタフェースで選択された商品に対して該当する商品と関連するサービスと連動して該当する商品の詳細情報を含むページへの移動機能または該当する商品に対する決済機能を提供することを含む、コンピュータで読み取り可能な媒体に格納されたコンピュータプログラムを提供する。
【００２１】
コンピュータで実現される商品情報提供システムであって、前記コンピュータで読み取り可能な命令を実行するように実現される少なくとも１つのプロセッサを含み、前記少なくとも１つのプロセッサは、オンラインオープンマーケットに加盟店として登録されたオフライン店舗の内部映像を電子機器に提供する提供部、前記内部映像で前記オフライン店舗に陳列した商品を認識する認識部、前記内部映像で認識された商品に対してユーザインタフェースを含む仮想オブジェクトを構成する構成部、および前記ユーザインタフェースで選択された商品に対して該当する商品と関連するサービスと連動して該当する商品の詳細情報を含むページへの移動機能または該当する商品に対する決済機能を提供する連動部を備える、商品情報提供システムを提供する。
【発明の効果】
【００２２】
本発明の実施形態によると、オフラインのショッピング経験を反映することにより、オンライン上のオープンマーケット商品を購入する楽しさを与えることができる。
【００２３】
本発明の実施形態によると、オンラインショッピングのために、ユーザにとって最適なオフラインのショッピング経験を反映したショッピング経験を提供することができる。
【００２４】
本発明の実施形態によると、オフラインのショッピング経験を反映したショッピング経験を提供するショッピングモデルを地域広告と連携させることにより、ユーザに実用的な情報を提供することができる。
【図面の簡単な説明】
【００２５】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サーバのプロセッサが含む構成要素の例を示した図である。
【図４】本発明の一実施形態における、サーバが実行する方法の例を示したフローチャートである。
【図５】本発明の一実施形態における、オフライン店舗の内部映像を提供するサービス画面を例示的に示した図である。
【図６】本発明の一実施形態における、加盟店の位置を提供する地図画面を例示的に示した図である。
【図７】本発明の一実施形態における、オフライン店舗の拡大された内部映像を提供するサービス画面を例示的に示した図である。
【図８】本発明の一実施形態における、オフライン店舗の内部映像から商品を認識する過程を説明するための例示図である。
【図９】本発明の一実施形態における、オフライン店舗の内部映像で認識された商品に対する仮想オブジェクトを構成する過程を説明するための例示図である。
【図１０】本発明の一実施形態における、オフライン店舗の内部映像で認識された商品に対する仮想オブジェクトを構成する過程を説明するための例示図である。
【図１１】本発明の一実施形態における、オフライン店舗の内部映像で認識された商品に対する仮想オブジェクトを構成する過程を説明するための例示図である。
【発明を実施するための形態】
【００２６】
以下、本発明の実施形態について、添付の図面を参照しながら詳細に説明する。
【００２７】
本発明の実施形態は、オンライントランザクション処理技術に関し、より詳細には、オンラインオープンマーケットにオフラインのショッピング経験を反映したショッピング経験を提供するショッピングモデルに関する。
【００２８】
本明細書で具体的に開示される事項を含む実施形態は、オフラインショッピング経験を反映したオンラインショッピングモデルを実現することができ、これによって効率化、利便性、費用節減などの側面において相当な長所をもたらす。
【００２９】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００３０】
複数の電子機器１１０、１２０、１３０、１４０は、コンピュータ装置によって実現される固定端末や移動端末であってもよい。複数の電子機器１１０、１２０、１３０、１４０の例としては、スマートフォン、携帯電話、ナビゲーション、コンピュータ、ノート型パソコン、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットなどがある。一例として、電子機器１（１１０）は、無線または有線通信方式を利用し、ネットワーク１７０を介して他の電子機器１２０、１３０、１４０および／またはサーバ１５０、１６０と通信してもよい。
【００３１】
通信方式が限定されることはなく、ネットワーク１７０が含むことのできる通信網（一例として、移動通信網、有線インターネット、無線インターネット、放送網）を活用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでもよい。さらに、ネットワーク１７０は、バスネットワーク、スターネットワーク、リングネットワーク、メッシュネットワーク、スター−バスネットワーク、ツリーまたは階層的（ｈｉｅｒａｒｃｈｉｃａｌ）ネットワークなどを含むネットワークトポロジのうちの任意の１つ以上を含んでもよいが、これらに限定されることはない。
【００３２】
サーバ１５０、１６０それぞれは、複数の電子機器１１０、１２０、１３０、１４０とネットワーク１７０を介して通信して命令、コード、ファイル、コンテンツ、サービスなどを提供するコンピュータ装置または複数のコンピュータ装置によって実現されてもよい。
【００３３】
一例として、電子機器１（１１０）は、電子機器１（１１０）が含むオペレーティングシステム（Ｏｐｅｒａｔｉｎｇ  Ｓｙｓｔｅｍ：ＯＳ）や少なくとも１つのプログラム（一例として、ブラウザや専用アプリケーション）の制御にしたがってサーバ１５０に接続し、サーバ１５０が提供するサービスやコンテンツの提供を受けてもよい。例えば、電子機器１（１１０）がアプリケーションの制御にしたがってネットワーク１７０を介してサービス要求メッセージをサーバ１５０に送信すると、サーバ１５０は、サービス要求メッセージに対応するコードを電子機器１（１１０）に送信してよく、電子機器１（１１０）は、アプリケーションの制御にしたがってコードに基づいた画面を構成して表示することにより、ユーザにコンテンツを提供してもよい。
【００３４】
図２は、本発明の一実施形態における、電子機器およびサーバの内部構成を説明するためのブロック図である。図２では、１つの電子機器に対する例として電子機器１（１１０）の内部構成を、１つのサーバに対する例としてサーバ１５０の内部構成を説明する。他の電子機器１２０、１３０、１４０やサーバ１６０も、同一または類似の内部構成を有してもよい。
【００３５】
電子機器１（１１０）とサーバ１５０は、メモリ２１１、２２１、プロセッサ２１２、２２２、通信モジュール２１３、２２３、および入力／出力インタフェース２１４、２２４を含んでもよい。メモリ２１１、２２１は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置（ｐｅｒｍａｎｅｎｔ  ｍａｓｓ  ｓｔｏｒａｇｅ  ｄｅｖｉｃｅ）を含んでもよい。また、メモリ２１１、２２１には、オペレーティングシステムと、少なくとも１つのプログラムコード（一例として、電子機器１（１１０）にインストールされ駆動するブラウザや専用アプリケーションなどのためのコード）が格納されてもよい。このようなソフトウェア構成要素は、メモリ２１１、２２１とは別のコンピュータで読み取り可能な記録媒体からロードされてもよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体を含んでもよい。他の実施形態において、ソフトウェア構成要素は、コンピュータで読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（図示せず）がネットワーク１７０を介して提供するファイルによってインストールされるプログラム（一例として、上述した専用アプリケーション）に基づいてメモリ２１１、２２１にロードされてもよい。
【００３６】
プロセッサ２１２、２２２は、基本的な算術、ロジック、および入出力演算を実行することにより、コンピュータプログラムの命令を処理するように構成されてもよい。命令は、メモリ２１１、２２１または通信モジュール２１３、２２３によって、プロセッサ２１２、２２２に提供されてもよい。例えば、プロセッサ２１２、２２２は、メモリ２１１、２２１のような記録装置に格納されたプログラムコードにしたがって受信される命令を実行するように構成されてもよい。
【００３７】
通信モジュール２１３、２２３は、ネットワーク１７０を介して電子機器１（１１０）とサーバ１５０とが互いに通信するための機能を提供してもよいし、他の電子機器（一例として、電子機器２（１２０））または他のサーバ（一例として、サーバ１６０）と通信するための機能を提供してもよい。一例として、電子機器１（１１０）のプロセッサ２１２がメモリ２１１のような記録装置に格納されたプログラムコードにしたがって生成した要求が、通信モジュール２１３の制御にしたがいネットワーク１７０を介してサーバ１５０に伝達されてもよい。これとは逆に、サーバ１５０のプロセッサ２２２の制御にしたがって提供される制御信号や命令、コンテンツ、ファイルなどが、通信モジュール２２３とネットワーク１７０を経て電子機器１（１１０）の通信モジュール２１３を通じて電子機器１（１１０）に受信されてもよい。例えば、通信モジュール２１３を通じて受信したサーバ１５０の制御信号や命令などは、プロセッサ２１２やメモリ２１１に伝達されてよく、コンテンツやファイルなどは、電子機器１（１１０）がさらに含むことのできる格納媒体に格納されてもよい。
【００３８】
入力／出力インタフェース２１４、２２４は、入力／出力装置２１５とのインタフェースのための手段であってもよい。例えば、入力装置は、キーボードまたはマウスなどの装置を、出力装置は、アプリケーションの通信セッションを表示するためのディスプレイのような装置を含んでもよい。他の例として、入力／出力インタフェース２１４は、タッチスクリーンのように入力と出力のための機能が１つに統合された装置とのインタフェースのための手段であってもよい。より具体的な例として、電子機器１（１１０）のプロセッサ２１２は、メモリ２１１にロードされたコンピュータプログラムの命令を処理するにあたり、サーバ１５０や電子機器２（１２０）が提供するデータを利用して構成されるサービス画面やコンテンツが、入力／出力インタフェース２１４を通じてディスプレイに表示されてもよい。
【００３９】
また、他の実施形態において、電子機器１（１１０）およびサーバ１５０は、図２の構成要素よりも多くの構成要素を含んでもよい。図２では、従来の技術的な構成要素を省略している。例えば、電子機器１（１１０）は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１（１１０）がスマートフォンである場合、一般的にスマートフォンが含んでいる加速度センサやジャイロセンサ、カメラ、物理的な各種ボタン、タッチパネルを利用したボタン、入力／出力ポート、振動のための振動器などの多様な構成要素が電子機器１（１１０）にさらに含まれるように実現されてもよい。
【００４０】
以下では、オンラインオープンマーケットでオフラインのショッピング経験が反映されたショッピング経験を提供するためのシステムおよび方法の具体的な実施形態について説明する。
【００４１】
図３は、本発明の一実施形態における、サーバのプロセッサが含むことのできる構成要素の例を示した図であり、図４は、本発明の一実施形態における、サーバが実行することのできる方法の例を示したフローチャートである。
【００４２】
図３に示すように、サーバ１５０のプロセッサ２２２は、提供部３１０、操作部３２０、認識部３３０、構成部３４０、および連動部３５０を備えてもよい。このようなプロセッサ２２２およびプロセッサ２２２の構成要素は、図４に示すステップＳ４１０〜Ｓ４５０を含む方法を実行するようにサーバ１５０を制御してもよい。このとき、プロセッサ２２２およびプロセッサ２２２の構成要素は、メモリ２２１が含むオペレーティングシステムのコードと少なくとも１つのプログラムのコードによる命令（ｉｎｓｔｒｕｃｔｉｏｎ）を実行するように実現されてもよい。また、プロセッサ２２２の構成要素は、オペレーティングシステムやアプリケーションが提供する制御命令にしたがってプロセッサ２２２によって実行される互いに異なる機能（ｄｉｆｆｅｒｅｎｔ  ｆｕｎｃｔｉｏｎｓ）の表現であってもよい。例えば、プロセッサ２２２が上述した制御命令にしたがってオフライン店舗の映像を提供することに対する機能的表現として提供部３１０が使用されてもよい。
【００４３】
ステップＳ４１０で、提供部３１０は、オンラインオープンマーケットに接続した電子機器１（１１０）を対象に、オンラインオープンマーケットに加盟店として登録されたオフライン店舗の内部映像を提供してもよい。オンラインオープンマーケットとは、販売者と購入者の両者にとってオープンな電子商取引であって、個人または小規模企業などがオンライン上で自由に商品を取り引きする仲介型インターネットショッピングモールを意味してもよい。サーバ１５０は、オンラインオープンマーケットのためのサービスプラットフォームの役割をしてよく、これにより、提供部３１０は、サービス利用者にサービスプラットフォームに登録された加盟店の店舗映像を提供してもよい。オフライン店舗の内部映像とは、商品が陳列されたオフライン店舗の様子が含まれた映像であって、オフライン店舗と関連する端末装置から受信したオフライン店舗内部の実際映像や仮想映像などを意味してもよい。一例として、サーバ１５０は、オフライン店舗に対するＩＰカメラ（ネットワークカメラ）サービスと連動してよく、オフライン店舗に設置されたカメラによって店舗内の実際の映像をリアルタイムあるいは周期的に受信してもよい。他の例として、サーバ１５０は、オフライン店舗それぞれに対して店舗内部の室内パノラマ写真のようなバーチャルリアリティ（Ｖｉｒｔｕａｌ  Ｒｅａｌｉｔｙ）映像などをサービスプラットフォーム上に事前に構築してもよい。言い換えれば、提供部３１０は、オンラインオープンマーケットで、オフライン店舗に対してネットワーク基盤のＣＣＴＶ（ｃｌｏｓｅｄ−ｃｉｒｃｕｉｔ ｔｅｌｅｖｉｓｉｏｎ）のような撮影装置によって撮影された実際映像、あるいはバーチャルリアリティのような仮想のコンテンツで生成された映像によってオフライン店舗の陳列商品をユーザに提供することができる。
【００４４】
図５は、本発明の一実施形態における、オフライン店舗の内部映像を提供するサービス画面を例示的に示した図である。図５に示すように、提供部３１０は、オンラインオープンマーケットのサービス画面５００上に電子機器１（１１０）のユーザによって特定されたオフライン店舗の内部映像５１０を表示してもよい。提供部３１０は、オンラインオープンマーケットでユーザにオフラインショッピング経験を反映したショッピング経験を提供するために、オフライン店舗の実際映像や仮想映像を用いて該当する店舗に実際に陳列されている商品を見せてもよい。
【００４５】
サーバ１５０は、加盟店として登録されたオフライン店舗それぞれに対し、該当する店舗に関する情報として、店舗の識別情報、位置情報、陳列商品リスト、商品別の詳細情報、ＵＲＬ情報などをサービスプラットフォーム上に事前に構築してもよい。提供部３１０は、事前に構築された情報に基づき、オンラインオープンマーケットでオフライン店舗の内部映像を提供する加盟店や各加盟店の店舗に陳列された商品などを検索あるいは勧めるサービスを提供してもよい。一例として、提供部３１０は、電子機器１（１１０）によって特定される位置、例えば、電子機器１（１１０）の現在位置または電子機器１（１１０）に設定された位置を基準とした一定範囲に位置する少なくとも１つの加盟店を選定して勧めてもよい。他の例として、提供部３１０は、電子機器１（１１０）のユーザに対して収集されたプロフィール情報、例えば、性別、年齢、サービス利用履歴や嗜好性などに基づいて少なくとも１つの加盟店を選定して勧めてもよい。また他の例として、提供部３１０は、電子機器１（１１０）のユーザがオンラインオープンマーケットから特定の店舗を検索した場合、該当する検索要請に対応する少なくとも１つの加盟店を検索結果として提供してもよい。さらに他の例として、提供部３１０は、電子機器１（１１０）のユーザがオンラインオープンマーケットから特定の商品を検索した場合、該当する商品が店舗に陳列された少なくとも１つの加盟店を検索結果として提供してもよい。このとき、ユーザが検索した商品を保有する店舗がない場合には、代替可能な商品やサービスを勧めることも可能である。すなわち、オンラインで公開されている加盟店や商品を検索する際に、商品が店頭に陳列されている店を見つけるためのサービスを通じて、オンラインだけでなくオフラインでも商品を購入することができる。このように、加盟店に対する推薦や検索ロジックによって地域広告と連携して加盟店の利用を誘導することができる。
【００４６】
提供部３１０は、推薦過程や検索過程で少なくとも１つの加盟店を選定し、選定した加盟店をユーザに提供するときに、地図またはリスト形態で表示してもよい。例えば、図６に示すように、オンラインオープンマーケットでユーザが「商品Ａ」を検索した場合、店舗に「商品Ａ」が陳列されている加盟店の位置を含む地図画面６２０を提供してもよい。このように、検索結果を提供するときに地域広告と連携してユーザが利用可能な加盟店を地図上に表示し、該当する加盟店を利用するように誘導することができる。
【００４７】
提供部３１０は、オンラインオープンマーケットに加盟店として登録されたオフライン店舗の情報を多様な方法によって表示してよく、推薦過程や検索過程などで提供された加盟店のうちの特定の加盟店に対する選択が電子機器１（１１０）から受信された場合、図５に示すように、選択された加盟店の内部映像５１０を電子機器１（１１０）に提供してもよい。
【００４８】
ステップＳ４２０で、操作部３２０は、オフライン店舗の内部映像に対する電子機器１（１１０）の操作要求に応答してオフライン店舗の内部映像を操作するように制御してもよい。操作部３２０は、オンラインオープンマーケットで提供されるオフライン店舗の内部映像に対し、視点移動、拡大（ｚｏｏｍ−ｉｎ）、縮小（ｚｏｏｍ−ｏｕｔ）などのための映像制御インタフェースを提供してよく、ユーザは、映像制御インタフェースによってオフライン店舗の内部映像をコントロールしながら店舗に陳列された商品を探索してもよい。
【００４９】
図５を参照すると、オフライン店舗の内部映像５１０に対し、上下左右全方向に視点を移動することのできる視点移動インタフェースと、映像を拡大あるいは縮小するためのズーム調節インタフェースなどを含む映像制御インタフェース５１１が提供されてもよい。操作部３２０は、映像制御インタフェース５１１による操作要求にしたがい、オンラインオープンマーケットのサービス画面５００に表示されたオフライン店舗の内部映像５１０をコントロールしてもよい。オフライン店舗の内部映像５１０がネットワーク基盤のＣＣＴＶのような店舗内の撮影装置から取得した実際映像である場合、操作部３２０は、ユーザの操作要求による映像制御信号を該当する店舗に設置された撮影装置に直接伝達し、店舗映像をリアルタイムでコントロールしてもよい。オフライン店舗の内部映像５１０がサービスプラットフォーム上に事前に構築された室内パノラマ写真のようなバーチャルリアリティ映像である場合には、サービス上で直ぐに映像コントロールが可能となる。ユーザがオフライン店舗の内部映像５１０に対して映像制御インタフェース５１１を利用して映像拡大を要求した場合には、図７に示すように、オンラインオープンマーケットのサービス画面５００上にはオフライン店舗の拡大された内部映像７１０が表示されてもよい。
【００５０】
ステップＳ４３０で、認識部３３０は、オフライン店舗の内部映像５１０から該当する店舗に陳列された商品を認識してもよい。一例として、認識部３３０は、商品にプリントされたバーコードやＱＲコード（登録商標）などの固有認識コードや、商品名やブランド名のようなテキストなどを認識することによって映像内の商品を認識してもよい。他の例として、認識部３３０は、映像分析技術や学習モデルなどを利用して映像の局所的特徴を抽出する方式などによって映像内の商品を認識してもよい。また他の例として、認識部３３０は、インターネット上のイメージデータベースと連動し、内部映像内の関心領域（ＲＯＩ）に対するイメージ検索によって映像内の商品を認識してもよい。映像内の商品を認識する技術は、これらだけに限定されることはなく、公知技術のうちの少なくとも１つの技術を活用してもよい。
【００５１】
図８は、本発明の一実施形態における、オフライン店舗の内部映像で商品を認識する過程を説明するための例示図である。図８を参照すると、認識部３３０は、イメージに含まれたオブジェクトを認識する多様な技術を活用することにより、オフライン店舗の内部映像８１０内の商品、すなわち、店舗に陳列された商品８０１を認識してもよい。このとき、認識部３３０は、オフライン店舗の内部映像で認識された商品それぞれに対し、サービスプラットフォーム上に構築された情報またはインターネット上の商品データベースから該当する商品に関する情報を抽出してもよい。
【００５２】
ステップＳ４４０で、構成部３４０は、オフライン店舗の内部映像で認識された商品に対してユーザインタフェースを含む仮想オブジェクトを構成してもよい。一例として、構成部３４０は、オフライン店舗の内部映像で認識された商品に対して仮想オブジェクトを生成し、該当する映像画面上に表示してもよい。このとき、仮想オブジェクトには、バーコード認識、イメージ認識などによって認識された商品の情報が含まれてもよい。また、仮想オブジェクトは、商品の詳細情報を含むページに移動したり決済を行ったりする機能などのためのユーザインタフェースによって構成されてもよい。
【００５３】
図９および図１０は、本発明の一実施形態における、オフライン店舗の内部映像で認識された商品に対する仮想オブジェクトを構成する過程を説明するための例示図である。図９を参照すると、オフライン店舗の内部映像９１０で認識された商品９０１それぞれに対して仮想オブジェクト９０３を表示してもよい。このとき、仮想オブジェクト９０３は、商品詳細ページや決済ページに移動することのできるユーザインタフェースで構成されてもよい。一例として、図９に示すように、映像から認識された商品９０１それぞれに対し、該当する商品９０１の位置に商品情報（例えば、商品名など）を含む仮想オブジェクト９０３を表示してもよい。他の例として、図１０に示すように、オフライン店舗の内部映像１０１０には、映像から認識された商品を示す識別子形態で仮想オブジェクト１００３を構成して表示し、別の画面領域１０２０に商品別の情報（例えば、商品名、商品説明など）を表示することも可能である。これらの例に限定されることはなく、商品に対する仮想オブジェクトは、多様な方式と形態などで構成されてもよい。
【００５４】
また、構成部３４０は、オフライン店舗の内部映像で認識された商品全体に対して仮想オブジェクトを構成してもよいし、他の例としては、映像で認識された商品のうちの一部商品、例えば、ユーザが検索した商品またはユーザに勧めようとする商品などのように、電子機器１（１１０）のユーザに対して特定の商品に対して仮想オブジェクトを構成してもよい。また他の例として、構成部３４０は、オフライン店舗の内部映像で認識された商品全体に対して仮想オブジェクトを構成するが、該当する加盟店によって指定された一部商品、例えば、イベント品目に対しては、他の商品と区別される仮想オブジェクトを活用して表示してもよい。図１１に示すように、オフライン店舗の内部映像１１１０から商品Ａ、商品Ｂ、商品Ｃが認識された場合、認識された商品それぞれに対して仮想オブジェクト１１０３を構成して表示し、そのうちでもイベント商品として指定された商品Ａの場合には、他の商品と区別される仮想オブジェクトを構成して表示してもよい。商品間の仮想オブジェクトの区分は、仮想オブジェクトの形態、色、大きさなどのディスプレイ属性や他のディスプレイ要素を利用してもよい。
【００５５】
ステップＳ４５０で、連動部３５０は、オフライン店舗の内部映像で仮想オブジェクトが構成された商品に対し、該当する商品のユーザインタフェースによって選択が受信された場合、該当する商品と関連する少なくとも１つのサービスを連動させてもよい。一例として、連動部３５０は、電子機器１（１１０）のユーザがオフライン店舗の内部映像から特定の商品を選択した場合、該当する商品の詳細情報ページに移動してもよい。詳細情報ページに移動する方法の他にも、画面移動せずに選択された商品の詳細情報をポップアップ画面で提供することも可能である。他の例として、連動部３５０は、電子機器１（１１０）のユーザがオフライン店舗の内部映像から特定の商品を選択した場合、決済サービスと連動させることによって選択された商品の決済処理を実行してもよい。
【００５６】
したがって、本発明の実施形態は、オンラインオープンマーケットでオフライン店舗の実際映像あるいは仮想映像によって該当する店舗に陳列される商品を提供することができ、店舗映像に対する操作環境（カメラ操作または画面操作など）を提供することにより、ユーザが直接映像を操作しながら店舗に陳列された商品を詳細に確認できるようにすることができる。また、本発明の実施形態は、多様なオブジェクト認識技術を利用してオフライン店舗の内部映像から商品を認識することができ、認識された商品それぞれに対してユーザが商品確認や選択可能な仮想オブジェクトを構成して表示することができる。さらに、本発明の実施形態は、地域広告と連携してオフライン店舗の内部映像を提供できる加盟店を勧めることができ、商品あるいは加盟店を検索することのできる検索環境も共に提供することができる。
【００５７】
本発明の実施形態によると、オンラインオープンマーケットにおいて、単に商品情報だけを陳列して表示する既存の形態から離れ、商品が陳列されたオフライン店舗の様子が含まれた実際映像や仮想映像を提供することにより、ユーザが実際にオフライン店舗を物色して品物を直接確認する行為に匹敵する経験を提供することができ、オンラインショッピングでもオフラインと同じようなリアリティや楽しさを与えることができる。
【００５８】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）および前記ＯＳ上で実行される１つ以上のソフトウェアアプリケーションを実行してもよい。また、処理装置は、ソフトウェアの実行に応答し、データにアクセスし、データを格納、操作、処理、および生成してもよい。理解の便宜のために、１つの処理装置が使用される例として説明される場合もあるが、当業者は、処理装置が複数個の処理要素および／または複数種類の処理要素を含んでもよい。例えば、処理装置は、複数個のプロセッサまたは１つのプロセッサおよび１つのコントローラを含んでもよい。また、並列プロセッサのような、他の処理構成も可能である。
【００５９】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてもよい。ソフトウェアおよび／またはデータは、処理装置に基づいて解釈されたり、処理装置に命令またはデータを提供したりするために、いかなる種類の機械、コンポーネント、物理装置、仮想装置、コンピュータ格納媒体または装置、または伝送される信号波に永久的または一時的に具現化されてもよい。ソフトウェアは、ネットワークによって接続されたコンピュータシステム上に分散され、分散された状態で格納されても実行されてもよい。ソフトウェアおよびデータは、１つ以上のコンピュータで読み取り可能な記録媒体に格納されてもよい。
【００６０】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、および磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００６１】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００６２】
したがって、異なる実施形態であっても、特許請求の範囲と均等なものであれば、添付される特許請求の範囲に属する。
【符号の説明】
【００６３】
２２２：プロセッサ
３１０：提供部
３２０：操作部
３３０：認識部
３４０：構成部
３５０：連動部
【図１】
2018049612.tif 000003
【図２】
2018049612.tif 000004
【図３】
2018049612.tif 000005
【図４】
2018049612.tif 000006
【図５】
2018049612.tif 000007
【図６】
2018049612.tif 000008
【図７】
2018049612.tif 000009
【図８】
2018049612.tif 000010
【図９】
2018049612.tif 000011
【図１０】
2018049612.tif 000012
【図１１】
2018049612.tif 000013